(57)【特許請求の範囲】
【請求項１】
容器の注ぎ口に取り付けられるキャップ本体と、このキャップ本体に一体成形された連結部と、この連結部の先端に一体成形されキャップ本体の小孔を閉じる蓋部が設けられ、上記連結部は上記キャップ本体の外周線から突出しないように設けられ、上記キャップ本体と上記蓋部の両方には、上記キャップ本体に上記蓋部を閉じたときに互いを係止する係合部と、互いに当接する当接部が各々形成され、上記キャップ本体と上記蓋部には、上記連結部周辺の角部が面取りされて、上記蓋部を上記キャップ本体から開く際に上記キャップ本体と上記蓋部の角部同士が干渉せず、上記キャップ本体に上記蓋部を被せ上記係合部により閉じた状態では、上記連結部には張力が生じ上記当接部には圧縮力が生じ、上記係合部の係合を解除すると、上記張力と圧縮力により上記キャップ本体と上記蓋部が干渉することなく、上記蓋部が上記キャップ本体から使用に十分な一定の角度に開くことを特徴とする液体容器用キャップ。
【請求項２】
上記キャップ本体と上記蓋部との角度が一定以下のとき、上記当接部には圧縮力がかかり、上記連結部には張力がかかることを特徴とする請求項１記載の液体容器用キャップ。
【請求項３】
上記キャップ本体と上記蓋部には、互いに閉じた状態でこのキャップ本体とこの蓋部に連通する一対の凹部が設けられ、上記凹部の内側に上記連結部が各１本形成され、この連結部は上記凹部の深さよりも薄く、上記蓋部を閉じた状態で適度な張力がかかる長さに形成されていることを特徴とする請求項１記載の液体用キャップ。
【発明の詳細な説明】
【０００１】
【発明の属する技術分野】
この発明は、液体用の容器に取り付けられ、キャップに設けられた小孔から所望の量の液体を取り出すことができる液体容器用キャップに関する。
【０００２】
【従来の技術】
従来、図４に示すように洗剤や消毒液を入れる液体容器としては、側面が弾性変形する合成樹脂製のボトル１に、小孔２が形成されたキャップ本体３を取り付けたものがある。このキャップ本体３には、使用していないときに小孔２を閉じるための蓋部４が、一本の薄肉の連結部５を介して一体成形されている。
【０００３】
この液体容器の使用方法は、収容されている液体を取り出すとき、ボトル１を傾け小孔２にボトル１内に収容されている液体を満たし、この状態でボトル１の側面を押圧してボトル１内の気圧を高め、小孔２から所望の液量を噴出させるものである。
【０００４】
【発明が解決しようとする課題】
上記従来の技術の場合、キャップ本体３に蓋部４を閉じたとき、連結部５はループ状となりキャップ本体３の側方に突出していた。この突出した連結部５は、キャップ本体３をボトル１に取り付ける自動装着の際に自動装着装置による保持の支障となることがあった。このため、キャップ本体３の外側面に連結部５等が突出せず安定して自動装着が可能な液体容器用キャップが求められていた。
【０００５】
この発明は、上記従来の技術の問題点に鑑みてなされたもので、蓋部をキャップ本体に閉じた際に連結部が側方に突出せず、キャップ本体の側周面に突起物がなく確実な自動装着が可能な液体容器用キャップを提供することを目的とする。
【０００６】
【課題を解決するための手段】
この発明は、容器の注ぎ口に取り付けられ液体を取り出す小孔を備えたキャップ本体と、このキャップ本体と一体成形された連結部と、この連結部の先端に一体成形されキャップ本体上部及び上記小孔を閉じる蓋部が設けられ、上記連結部は上記蓋部を閉じた状態で上記キャップ本体の外周線から突出しないように設けられている液体容器用キャップである。そして、上記キャップ本体と上記蓋部の両方には、上記キャップ本体に上記蓋部を閉じたときに互いを係止する係合部と、互いに当接する当接部とが各々形成されている。上記キャップ本体と上記蓋部には、上記連結部周辺の角部が面取りされ、上記蓋部を上記キャップ本体から開く際に上記キャップ本体と上記蓋部の角部同士が干渉せず、上記キャップ本体に上記蓋部を被せ上記係合部により閉じた状態では、上記連結部には張力が生じ上記当接部には圧縮力が生じる。そして上記係合部の係合を解除するとこの張力とこの圧縮力により上記蓋部が上記キャップ本体から一定の角度以上に開くとともに、その際に上記キャップ本体と上記蓋部の角部同士が干渉しないものである。
【０００７】
また、上記キャップ本体と上記蓋との角度が一定以下のとき、上記当接部には圧縮力がかかり、上記連結部には張力がかかる。
【０００８】
また、上記キャップ本体と上記蓋部には、互いに閉じた状態でこのキャップ本体とこの蓋部に連通する一対の凹部が設けられ、上記凹部の内側に上記連結部が各１本形成され、この連結部は上記凹部の深さよりも薄く、上記蓋部を閉じた状態で適度な張力がかかるように余分な長さを有しない形状に形成されている。
【０００９】
この発明の液体容器用キャップは、上記連結部に張力が加えられた状態で蓋部とキャップ本体が係合し、蓋部を開く際に蓋部をある程度押し上げると、その後は連結部に加えられている張力で蓋部が跳ね上がり自動的に十分な角度に開く。
【発明の実施の形態】
【００１０】
以下、この発明の実施の形態について、図面に基づいて説明する。図１〜図３は、この発明の一実施形態を示すもので、この実施形態の液体容器用キャップ１０はポリプロピレン等の合成樹脂製で、筒状のキャップ本体１２を有しキャップ本体１２の内側面には雌ネジが形成され、キャップ本体１２の外側面にはキャップ本体１２を液体用容器であるボトル１１に螺合させる際に回転しやすいように縦縞状の凹凸部１４が等ピッチで形成されている。
【００１１】
キャップ本体１２の上端は上端面１６で閉鎖され、上端面１６の周縁部には後述する蓋部３４の周縁部が当接する当接部としての受部１８が形成されている。受部１８は上端面１６より一段低く上端面１６とほぼ平行な面であり、ほぼ一定の幅で上端面１６を一周して形成されている。上端面１６の側周面には、上端面１６と一致して、後述する蓋部３４を係止する係合部である係合突起２０が一周して設けられている。上端面１６表面のやや側方に近い位置に、略半球状の突起２２が上方に突出して設けられ、突起２２の頭頂部付近にキャップ本体１２の内側に貫通する小孔２４が形成されている。
【００１２】
上端面１６の周縁部の一部には、コの字型の切欠部２６が形成され、切欠部２６とほぼ１８０度反対側のキャップ本体１２の外側面には、一対の凹部２８が略垂直方向に形成されている。キャップ本体１２の凹部２８、２８間の側面は、平面部３０として形成され、受け部１８との角部は面取りされた斜面３１となっている。そして、各凹部２８の上端面１６が形成された側の端部には、薄型で短い連結部３２が各々略平行で略水平に外側に突出して設けられている。連結部３２は凹部２８の深さよりも薄く形成され、またキャップ本体１２に対して、後述する蓋部３４を閉じた状態で、連結部３２はたるまず適度な張力がかかる長さに形成されている。
【００１３】
そして、一対の連結部３２の先端には蓋部３４が一体成形され、蓋部３４はキャップ本体１２とほぼ同じ直径の浅いドーム型に形成されている。蓋部３４の側周面の一部には、キャップ本体１２に閉じたときにキャップ本体１２の凹部２８と連接する一対の凹部３６が形成され、この蓋部３４の側周面の凹部３６、３６間は、キャップ本体１２の平面部３０とつながり面一となる平面部３８が形成され、この平面部３８の角部にも面取りされた斜面３９が形成されている。そして凹部３６の中には、連結部３２の先端が各々取り付けられている。
【００１４】
蓋部３４の周縁部の内側には、キャップ本体１２の係合突起２０が係止される係合部であるわずかな段部４０が一周して形成され、そしてキャップ本体１２に設けられた切欠部２６に当接する位置には、切欠部２６に嵌合され蓋部３４の位置決めとなる突起４２が形成されている。また、キャップ本体１２に設けられた突起２２に当接する位置には、突起２２の外側にわずかなゆとりを有して接する嵌合部４４が突出して形成されている。嵌合部４４は筒状で蓋部３４の内側面から略直角に突出し、嵌合部４４の内側は突起２２のネガ形状が形成されている。  この実施の形態の液体容器用キャップ１０は、適度な弾力性を有する合成樹脂製のボトル１１に取り付けて使用されるもので、ボトル１１の注ぎ口には雄ネジが形成され、液体容器用キャップ１０のキャップ本体１２を螺合させ固定する。そしてボトル１１には洗剤や消毒薬等の液体が収容され、液体が漏れ出さないようにキャップ本体１２に蓋部３４を閉じ保管する。収容されている液体を取り出す際は、キャップ本体１２から蓋部３４を外し、ボトル１１を傾け小孔２４にボトル１１内に収容されている液体を満たし、ボトル１１の側面を押圧してボトル１１内の気圧を高め、小孔２４から所望の液量を噴出するものである。
【００１５】
蓋部３４を閉じて連結部３２に張力が加えられた状態で、蓋部３４の段部４０と、キャップ本体１２の係合突起２０が係合し、容易には外れない状態となる。この状態で、連結部３２には張力が働き、連結部３２間の受部１８と蓋部の周縁部には圧縮力が作用する。従って、蓋部３２を開ける際には、蓋部３４を押し上げて係合突起２０と弾部４０との係合を解除すると、その後は連結部３２に加えられている張力で蓋部３４が跳ね上がり自動的に十分な角度に開く。
【００１６】
この実施の形態の液体容器用キャップ１０によれば、蓋部３４は連結部３２に張力が加えられた状態でキャップ本体１２の小孔２４を塞いで閉じられているため、蓋部３４をある程度押し上げてキャップ本体１２の係合突起２０を蓋部３４の段部４０から外すと、蓋部３４は連結部３２の張力により跳ね上がり、自動的に十分な角度に開く。また、このとき平面部３０，３８の端縁部の角部が斜面３１，３９として切除された状態となっているので、その角部同士が干渉せず蓋部３４が容易に大きく開くものである。また、開いた蓋部３４はキャップ本体１２の上端面１６の側方にほぼ隣接して位置するため、閉じる際も簡単である。また、蓋部３４を閉じた状態では平面部３０に隣接する部分の受部１６と蓋部３４の端縁部が当接し、薄型で強度が不十分な連結部３２の補強を行ない安定性を高めている。
【００１７】
そして、連結部３２は凹部２８、３６の深さよりも薄く形成され、また蓋部３４を閉じたときに張力を持たせるように短く形成されているため、キャップ本体１２に蓋部３４が閉じられているときはほとんど凹部２８、３６の内側に位置する。これによりキャップ本体１２の側周面は平坦となり、自動装着装置に安定して保持され効率の良い自動装着が可能となり、生産性が向上する。また液体容器用キャップ１０のデザインも凹凸が少ないためすっきりとしたものとなる。
【００１８】
なお、この発明の液体容器キャップは上記実施の形態に限定されるものではなく、キャップ本体の断面形状は楕円形や角を丸くした矩形等でも良い。そして素材も適度な弾力性と硬さを有するものであれば良く、小孔や係合突起等の形状も適宜変更可能である。
【００１９】
【発明の効果】
この発明の液体容器用キャップは、簡単に蓋部の開閉を行なうことができ、また蓋部を閉じた状態では側周面に凹凸が少なく、取り扱い性が良い上、液体容器への取付作業の際は、機械により安定した自動装着が可能である。
【図面の簡単な説明】
【図１】 本発明の一実施形態の液体容器用キャップの使用状態を示す斜視図である。
【図２】  この実施形態の液体容器用キャップの正面図である。
【図３】  この実施形態の液体容器用キャップの平面図である。
【図４】  従来の液体容器用キャップの使用状態を示す斜視図である。
【符号の説明】
１０    液体容器用キャップ
１１    ボトル
１２    キャップ本体
１６    上端面
１８    受部
２０    係合突起
２４    小孔
２８，３６    凹部
３０，３８    平面部
３２    連結部
３４    蓋部
４０    段部
４４    嵌合部
【図１】
0003983335.tif 000002
【図２】
0003983335.tif 000003
【図３】
0003983335.tif 000004
【図４】
0003983335.tif 000005